(57)【要約】【課題】  コンテナ内面を上方が拡開した平滑面とすることによって収納した物品を保護するとともに、物品の取り出しも容易に行うことができ、折り畳みや組み立ても容易で、組立状態での強度も十分な折り畳みコンテナを提供する。【解決手段】  上枠１１、底板１２、一対の側板１４及びおり板１３とを備え、あおり板１３の上部及び側板１４の上部を上枠１１に対して連結部１３ａ、１４ａによりコンテナ内側に回動可能な状態でそれぞれ連結し、組み立て状態では、側板１４の内面両端部にあおり板１３の両側縁部が当接し、かつ、各側板１４及びあおり板１３の内面が上方に向かって外側に傾斜した斜面となるように形成した六面体構造の折り畳みコンテナ１０であって、あおり板１３の下部に、該あおり板１３を起立させたときに上枠との連結部１３ａからの垂線Ｖよりコンテナ外側位置で底板１２の上面に当接する突出部２１を突設した。【選択図】  図１
2005088920.tif 000002
【特許請求の範囲】
【請求項１】
相対向する方形状の上枠及び底板と、該上枠及び底板の上下に対向する二辺間をそれぞれ閉塞する一対の側板及び一対のあおり板とを備え、前記側板の上部及び前記あおり板の上部を上枠に対して連結部によりコンテナ内側に回動可能な状態でそれぞれ連結し、組み立て状態では、前記側板の内面両端部に前記あおり板の両側縁部が当接し、かつ、各側板及びあおり板の内面が上方に向かって外側に傾斜した斜面となるように形成した六面体構造の折り畳みコンテナにおいて、前記あおり板の下部に、該あおり板を起立させたときに前記上枠との連結部からの垂線よりコンテナ外側位置で前記底板の上面に当接する突出部を突設したことを特徴とする折り畳みコンテナ。
【発明の詳細な説明】
【技術分野】
【０００１】
本発明は、折り畳みコンテナに関し、特に、柔らかい物品やフィルム袋等に充填された液体状乃至ゲル状の物品を収納するのに適した構造を有する折り畳みコンテナに関する。
【背景技術】
【０００２】
従来から、折り畳みコンテナとして、上枠（フレーム）及び底板と、上枠及び底板に対してそれぞれ回動可能に取付けられ、かつ、連結部にて内側へ折曲がるように連結された上下一対の側板と、上枠に対して回動可能に取付けられたあおり板とから構成されたものが知られている（例えば、特許文献１参照。）。
【０００３】
このような折り畳みコンテナは、折り畳まれた状態で上枠を上方に持上げ、両側板の連結部を伸ばした状態にした後、両あおり板を両側板間に立てて直立状態にすることにより箱状に組み立てることができ、逆に両あおり板を上枠に対して内方に回動させた後、両側板の連結部を内方に折曲げることにより折り畳むことができる。
【特許文献１】特公平７−５１３３号公報
【発明の開示】
【発明が解決しようとする課題】
【０００４】
しかし、従来の折り畳みコンテナは、組み立てて物品を収納した状態でコンテナ上方から荷重が加わると、側板の連結部がコンテナの内方あるいは外方に屈曲した状態となる。したがって、収納物がフィルム袋等に充填された液体状乃至ゲル状のもの、例えば、醤油、油等である場合、さらに、これらが常温乃至低温で固化するもの、例えば、マーガリン、バター、チョコレート等を収納して保管、運搬した場合に、側板の屈曲によって収納物が変形してしまうおそれがあり、また、収納状態で固化してしまうとコンテナ内からの取り出しが困難になるという問題があった。さらに、連結部の状態によっては外面が柔らかい物品を傷つけてしまうこともある。このため、前述のような物品は、プラスチック製あるいは段ボール製の一体型の収納容器に収納するようにしていたが、物品を取り出した後の収納容器の処理に大きな問題がある。
【０００５】
そこで本発明は、コンテナ内面を上方が拡開した平滑面とすることによって収納した物品を保護することができるとともに、物品の取り出しも容易に行うことができ、さらに、折り畳みや組み立ても容易で、組立状態での強度も十分な折り畳みコンテナを提供することを目的としている。
【課題を解決するための手段】
【０００６】
上記目的を達成するため、本発明の折り畳みコンテナは、相対向する方形状の上枠及び底板と、該上枠及び底板の上下に対向する二辺間をそれぞれ閉塞する一対の側板及び一対のあおり板とを備え、前記側板の上部及び前記あおり板の上部を上枠に対して連結部によりコンテナ内側に回動可能な状態でそれぞれ連結し、組み立て状態では、前記側板の内面両端部に前記あおり板の両側縁部が当接し、かつ、各側板及びあおり板の内面が上方に向かって外側に傾斜した斜面となるように形成した六面体構造の折り畳みコンテナにおいて、前記あおり板の下部に、該あおり板を起立させたときに前記上枠との連結部からの垂線よりコンテナ外側位置で前記底板の上面に当接する突出部を突設したことを特徴としている。
【発明の効果】
【０００７】
本発明の折り畳みコンテナによれば、コンテナ内面を上方が拡開した平滑面とすることにより、収納した物品が、フィルム袋等に充填された液体状乃至ゲル状のものや、これらが常温乃至低温で固化するものの場合でも、これらを保護することができるとともに物品の取り出しも容易に行うことができる。そして、上方から荷重が加わった場合でも、連結部からの垂線よりコンテナ外側に位置させた突出部によってあおり板がコンテナ内側に回動して倒れることがなくなるので、組み立て状態のコンテナを多段積みしても荷崩れを確実に防止できる。
【発明を実施するための最良の形態】
【０００８】
図は本発明の折り畳みコンテナの一形態例を示すもので、図１は組立状態の折り畳みコンテナを示す要部の断面正面図、図２は同じく組立状態の折り畳みコンテナを積み重ねた状態を示す要部の断面正面図、図３は組立状態の折り畳みコンテナの斜視図、図４は組立状態の折り畳みコンテナの一部断面正面図、図５は組立状態の折り畳みコンテナの断面側面図、図６は折り畳み状態を示す折り畳みコンテナの断面正面図である。
【０００９】
この折り畳みコンテナ１０は、平面視長方形状の上枠１１及び底板１２と、上枠１１の対向する短辺側にそれぞれ回動可能に設けられた一対のあおり板１３と、上枠１１の長辺側にそれぞれ回動可能に連結された一対の側板１４とを有する六面体構造の折り畳みコンテナであって、あおり板１３は上枠１１の短辺に対して複数箇所の連結部１３ａで、側板１４の上部は上枠１１の長辺に本形態例では三箇所の連結部１４ａで、それぞれコンテナ内側に回動可能な状態でそれぞれ連結されるとともに、底板１２の長辺と側板１４の上下方向中間部外面との間には、底板１２と側板１４とを連結するためのヒンジ板１５が三箇所に設けられている。
【００１０】
ヒンジ板１５は、下端部に設けたヒンジピン１６を底板１２の縁部に設けたヒンジ穴１７に係合させてコンテナ内側に回動可能な状態で係合しており、ヒンジ板１５の上部は、側板１４の外面に設けた水平方向の支軸１８に、ヒンジ板１５の上端部に設けたヒンジ溝１９を回動可能な状態で係合している。
【００１１】
この折り畳みコンテナは、図３〜図５に示す組立状態で、両あおり板１３の下部を内側に回動させた後、側板１４の下部を内側に回動させると、ヒンジ板１５の上部がコンテナ内側方向に回動し、側板１４とヒンジ板１５とが折れ曲がるようにしてコンテナ内側に入り込み、図６に示すように、あおり板１３、側板１４及びヒンジ板１５が、上枠１１と底板１２との間に折り畳まれた状態となる。この折り畳み状態で上枠１１を上方に持ち上げ、側板１４とヒンジ板１５とを伸ばすようにして両側板１４を立てた状態にした後、両あおり板１３を回動させて両側板１４間に立てた状態にすることにより、図５に示すように、あおり板１３及び側板１４が略直立状態となり、上枠１１及び底板１２の上下に対向する二辺間があおり板１３及び側板１４によってそれぞれ閉塞された六面体形状の箱型に組み立てることができる。この組立状態では、あおり板１３の両側縁部が両側板１４の内面両端部にそれぞれ当接した状態となり、あおり板１３が側板１４を内部側から押圧して側板１４が内側に回動しないように保持した状態となる。
【００１２】
この折り畳みコンテナは、組立状態におけるコンテナ内面が、一枚板からなるあおり板１３及び側板１４の四面で囲まれた状態となり、従来の折り畳みコンテナのような側板の連結部がコンテナ内面側に存在しないので、コンテナ内面を平滑面とすることができる。また、あおり板１３の両側縁部を下方が狭くなった逆台形状に形成するとともに、連結部１３ａ及び連結部１４ａの位置と組立時の側板１４及びあおり板１３の下端部の位置とを、各側板１４及びあおり板１３の内面が上方に向かって外側に傾斜した斜面となるように形成することにより、組立時のあおり板１３及び側板１８により形成されるコンテナ内面形状を、上方が拡大した四角錐形状になるようにしている。
【００１３】
このように、コンテナ内面を平滑面とし、さらに、上方が拡大した四角錐形状としたことにより、コンテナ内に収納した物品を変形させたり、損傷させたりすることがなくなり、収納した物品を保護することができるとともに、フィルム袋等に充填された液体状乃至ゲル状のものが保管中に固化してしまった場合でも、固化した状態のままコンテナ上方に容易に抜き出すことができ、フィルム袋が破れたりすることもなくなる。また、多段積み時の上方からの荷重をあおり板１３及び側板１４の両方で受けることができるので、従来のようにあおり板のみで受けるものに比べて荷重強度を大幅に向上させることができる。
【００１４】
そして、図１及び図２に示すように、前記あおり板１３の下部には、該あおり板１３を起立させたときに、前記上枠１１との連結部１３ａからの垂線Ｖよりコンテナ外側位置で前記底板１２の上面に当接する突出部２１を突設している。すなわち、組立状態の折り畳みコンテナ１０に上方から荷重が加わったとき、例えば折り畳みコンテナ１０を積み重ねたときに、上枠１１に加わる荷重を連結部１３ａからあおり板１３を介して底板１２で受けることになるが、このとき、あおり板１３の下部の底板１２との当接部が、連結部１３ａからの垂線Ｖよりコンテナ内側に位置していると、あおり板１３には、コンテナ内側に回動する方向の力が作用し、荷重の大きさによっては、振動等によってあおり板１３の下部が内側に回動し、組立状態の六面体形状が変形して荷崩れを起こすおそれがある。
【００１５】
一方、あおり板１３の下部に前述のような突出部２１を設け、連結部１３ａからの垂線Ｖよりコンテナ外側位置で荷重を受けるように形成することにより、あおり板１３には、上方からの荷重によって鉛直方向乃至コンテナ外側に回動する方向の力が作用するので、あおり板１３の下部が内側に回動することを防止でき、このあおり板１３の両側縁部によって保持されている側板１４もあおり板１３によってコンテナ内側方向への回動を規制されているので、組立状態の折り畳みコンテナ１０を六面体形状に保持して荷崩れの発生を確実に防止することができる。
【００１６】
また、折り畳みコンテナ１０を安定した状態で積み重ねられるように、底板１２の外縁部１２ａを脚部１２ｂから外方に突出させ、脚部１２ｂが上枠１１の内周に嵌合するように上枠１１及び底板１２を形成した場合、図１に示すように、最下段のコンテナでは、あおり板１３の突出部２１が外縁部１２ａの上面に当接した荷重により、外縁部１２ａの外側がわずかに下方に傾斜した状態になるので、突出部２１が底板上面を滑ってコンテナ内側に移動することをより確実に防止することができる。
【００１７】
なお、本形態例では、側板１４の下部にヒンジ板１５を設けた例を示したが、このようなヒンジ部品の形状や設置位置は任意であり、あおり板１３や側板１４から独立した状態で、これらの外面に沿うようにして上下一対のヒンジ板を設けるようにすることもできる。また、上枠部分に蓋を設けることもできる。
【産業上の利用可能性】
【００１８】
本発明の折り畳みコンテナは、常温乃至低温で固化するマーガリンやバター、チョコレート等をフィルム袋等に充填した状態で保管、運搬するのに最適である。
【図面の簡単な説明】
【００１９】
【図１】組立状態の折り畳みコンテナを示す要部の断面正面図である。
【図２】組立状態の折り畳みコンテナを積み重ねた状態を示す要部の断面正面図である。
【図３】組立状態の折り畳みコンテナの斜視図である。
【図４】組立状態の折り畳みコンテナの一部断面正面図である。
【図５】組立状態の折り畳みコンテナの断面側面図である。
【図６】折り畳み状態を示す折り畳みコンテナの断面正面図である。
【符号の説明】
【００２０】
１０…折り畳みコンテナ、１１…上枠、１２…底板、１３…あおり板、１３ａ…連結部、１４…側板、１４ａ…連結部、１５…ヒンジ板、１６…ヒンジピン、１７…ヒンジ穴、１８…支軸、１９…ヒンジ溝、２１…突出部、Ｖ…連結部１３ａからの垂線
【図１】
2005088920.tif 000003
【図２】
2005088920.tif 000004
【図３】
2005088920.tif 000005
【図４】
2005088920.tif 000006
【図５】
2005088920.tif 000007
【図６】
2005088920.tif 000008